(57)【要約】      （修正有）【課題】包装紙に衛生ペーパーが備えられ、衛生ペーパーを使用するにあたって便宜性が効果的に改善され、より衛生的に使用できる衛生用品を提供する。【解決手段】衛生用品は、内容物を収容する内部空間及び内部空間に収容された内容物を含む衛生部１００；衛生部の一側を包む表包装紙２１０；衛生部を表包装紙と共に包み、表包装紙に少なくとも一部が貼り付けられる裏包装紙２２０；及び、裏包装紙の衛生部側の面と対向する面に少なくとも一部が貼り付けられる衛生パッド３００；を含み、衛生部は、裏包装紙の方向に外力により除去されて内部空間と外部を連通できる開放口１１０が形成される蓋部１２０を含み、蓋部は、衛生パッドが裏包装紙から分離されると共に衛生部から分離される。【選択図】図１
0003223080.tif 000002
【実用新案登録請求の範囲】
【請求項１】
内容物を収容する内部空間及び前記内部空間に収容された内容物を含む衛生部；
前記衛生部の一側を包む表包装紙；
前記衛生部を前記表包装紙と共に包み、前記表包装紙に少なくとも一部が貼り付けられる裏包装紙；及び
前記裏包装紙の前記衛生部側の面と対向する面に少なくとも一部が貼り付けられる衛生パッド；を含み、
前記衛生部は、前記裏包装紙の方向に外力により除去されて前記内部空間と外部を連通できる開放口が形成されるように構成された蓋部を含み、
前記蓋部は、前記衛生パッドが前記裏包装紙から分離されると共に前記衛生部から分離される、衛生用品。
【請求項２】
前記蓋部は、前記衛生部と一体に形成される、請求項１に記載の衛生用品。
【請求項３】
前記蓋部は、前記開放口の大きさより大きく形成され、前記開放口を完全に覆うように前記衛生部に貼り付けられる、請求項１に記載の衛生用品。
【請求項４】
前記裏包装紙は、前記蓋部と対応する領域に形成される貫通孔を含み、
前記蓋部は、前記衛生パッドの背面に貼り付けられる、請求項２または３に記載の衛生用品。
【請求項５】
前記衛生部は、前記表包装紙及び前記裏包装紙の少なくとも一つに貼り付けられる、請求項１に記載の衛生用品。
【請求項６】
内容物を収容する内部空間及び前記内部空間に収容された内容物を含む衛生部；
前記衛生部の一側を包み、前記衛生部に少なくとも一部が貼り付けられる表包装紙；及び
前記衛生部の前記表包装紙側の面と対向する面に少なくとも一部が貼り付けられる衛生パッド；を含み、
前記衛生部は、前記衛生パッドの方向に外力により除去されて前記内部空間と外部を連通できる開放口が形成されるように構成された蓋部を含み、
前記蓋部は、前記衛生パッドが前記衛生部から分離されると共に前記開放口を形成する、衛生用品。
【請求項７】
内容物を収容する内部空間及び前記内部空間に収容された内容物を含む衛生部；及び
前記衛生部の一側に少なくとも一部が貼り付けられる衛生パッド；を含み、
前記衛生部は、前記衛生パッドの一側を包むように構成され、外力により除去されて前記内部空間と外部を連通できる開放口が形成されるように構成された蓋部を含み、
前記蓋部は、前記衛生パッドが前記衛生部から分離されると共に前記開放口を形成する、衛生用品。
【請求項８】
前記蓋部は、前記開放口の大きさより大きく形成され、前記開放口を完全に覆うように前記衛生部に貼り付けられる、請求項６または７に記載の衛生用品。
【請求項９】
前記蓋部は、前記衛生パッドの背面に貼り付けられる、請求項６または７に記載の衛生用品。
【請求項１０】
内容物を収容する内部空間及び前記内部空間に収容された内容物を含む衛生部；及び
衛生パッドを包み、前記衛生部の一側に配置され、前記衛生部と少なくとも一部が貼り付けられるように構成された表包装紙；を含み、
前記衛生部は、前記表包装紙の方向に外力により除去されて前記内部空間と外部を連通できる開放口が形成されるように構成された蓋部を含み、
前記蓋部は、前記表包装紙が前記衛生部から分離されると共に前記衛生部から分離される、衛生用品。
【請求項１１】
前記蓋部は、前記衛生部と一体に形成される、請求項１０に記載の衛生用品。
【請求項１２】
前記蓋部は、前記開放口の大きさより大きく形成され、前記開放口を完全に覆うように前記衛生部に貼り付けられる、請求項１０に記載の衛生用品。
【請求項１３】
前記蓋部は、前記表包装紙に貼り付けられる、請求項１０に記載の衛生用品。
【請求項１４】
前記内容物は、清潔剤を含有したペーパーであり、前記開放口を通して引き出し可能に構成され、
前記衛生パッドは、ナプキンである、請求項１から１３のいずれか一項に記載の衛生用品。
【考案の詳細な説明】
【技術分野】
【０００１】
本考案は、衛生ペーパーが備えられた衛生用品に関し、より具体的には、包装紙に衛生ペーパーが備えられ、備えられた衛生ペーパーを使用するにあたって便宜性が効果的に改善された衛生用品に関する。
【背景技術】
【０００２】
ほとんどの女性は、通常、１か月の周期で生理をするようになるが、生理が進行される間、生理分泌物の処理が問題となる。
【０００３】
生理分泌物は、ほとんど血液からなり、血液は、血清タンパク質、糖タンパク質等のタンパク質成分がほとんどである。タンパク質成分を含むこのような生理分泌物は、空気中の酸素に当たって急速に腐敗する。生理分泌物が腐敗した場合、悪臭が生じ、細菌が繁殖するようになる。
【０００４】
このように繁殖した細菌は、湿疹や各種の疾病を誘発し得る。特に、生理中には、精神的にも肉体的にも抵抗力が弱くなっているため、このような細菌の繁殖は、得てして女性の重大な疾病の原因にもなり得る。従って、生理中、生理分泌物の効果的な処理は、清潔上、衛生上、非常に重要な問題である。
【０００５】
しかし、従来の一般的なナプキンは、単に分泌物の吸収及び漏れ防止機能だけを持つものがほとんどである。衛生問題を改善するために、抗菌機能の強化されたナプキン、例えば、ナプキンを構成する内部シートまたは吸収部材の製造の際、抗菌機能を持つ物質を投入して製造することにより、人体に抗菌効果を提供できるナプキン等が開発されてきている（先行技術文献１参照）。
【０００６】
しかし、これもまた抗菌効果を提供できるとはいえるものの、皮膚に粘着した生理分泌物を根本的には除去できないという限界がある。従って、生理分泌物から発生する衛生上の問題を完全に改善することはできない。
【０００７】
女性は、生理分泌物を処理するために別途のペーパーまたは清潔剤を備えて、使用されたナプキンを廃棄し、新しいナプキンに取り替えるとき、別に準備したペーパー等を使用して皮膚に粘着した生理分泌物を除去する。仮に、別にペーパーまたは清潔剤を準備できなかった場合、使用されたナプキンを廃棄し、新しいナプキンに取り替えるにあたって、皮膚に付いている生理分泌物のため長時間不便を経験しなければならないという問題点がある。
【０００８】
さらに、従来は、ペーパー等が備えられたナプキンに関する技術も一部開示されているが（先行技術文献２参照）、このようなナプキンを使用する場合にも、使用されたナプキンを除去して廃棄し、ペーパーまたは清潔剤の包装紙を開封して生理分泌物を除去した後、また新しいナプキンの包装紙を開いてナプキンを取り替えなければならないという点で煩雑さがある。また、このような煩雑な取り替え過程で、清潔に維持されなければならないナプキンまたは清潔剤が外部の細菌に汚染される等の問題点が発生し得る。
【考案の概要】
【考案が解決しようとする課題】
【０００９】
本考案は、前記のような問題点を解決するために案出されたものであって、本考案において解決しようとする課題は、使用者が生理中に生理分泌物を効果的に処理できるように衛生ペーパーが備えられた衛生用品を提供することにある。また、使用者が衛生用品を使用するとき、便宜性を効果的に改善でき、より衛生的に衛生ペーパーを使用できる衛生用品を提供することにある。
【００１０】
本考案の課題は、以上において言及した課題に制限されず、言及されていないまた他の課題は、下記の記載から当業者に明確に理解され得るだろう。
【課題を解決するための手段】
【００１１】
前記課題を解決するための本考案の一実施例に係る衛生用品は、内容物を収容する内部空間及び前記内部空間に収容された内容物を含む衛生部；前記衛生部の一側を包む表包装紙；前記衛生部を前記表包装紙と共に包み、前記表包装紙に少なくとも一部が貼り付けられる裏包装紙；及び、前記裏包装紙の前記衛生部側の面と対向する面に少なくとも一部が貼り付けられる衛生パッド；を含み、前記衛生部は、前記裏包装紙の方向に外力により除去されて前記内部空間と外部を連通できる開放口が形成されるように構成された蓋部を含み、前記蓋部は、前記衛生パッドが前記裏包装紙から分離されると共に前記衛生部から分離される。
【００１２】
本考案の他の特徴によると、前記蓋部は、前記衛生部と一体に形成され得る。  本考案のまた他の特徴によると、前記蓋部は、前記開放口の大きさより大きく形成され、前記開放口を完全に覆うように前記衛生部に貼り付けられ得る。
【００１３】
本考案のまた他の特徴によると、前記裏包装紙は、前記蓋部と対応する領域に形成される貫通孔を含み、前記蓋部は、前記衛生パッドの背面に貼り付けられ得る。
【００１４】
本考案のまた他の特徴によると、前記衛生部は、前記表包装紙及び前記裏包装紙の少なくとも一つに貼り付けられ得る。
【００１５】
前記課題を解決するための本考案の他の実施例に係る衛生用品は、内容物を収容する内部空間及び前記内部空間に収容された内容物を含む衛生部；前記衛生部の一側を包み、前記衛生部に少なくとも一部が貼り付けられる表包装紙；及び、前記衛生部の前記表包装紙側の面と対向する面に少なくとも一部が貼り付けられる衛生パッド；を含み、前記衛生部は、前記裏包装紙の方向に外力により除去されて前記内部空間と外部を連通できる開放口が形成されるように構成された蓋部を含み、前記蓋部は、前記衛生パッドが前記衛生部から分離されると共に前記開放口を形成する。
【００１６】
前記課題を解決するための本考案のまた他の実施例に係る衛生用品は、内容物を収容する内部空間及び前記内部空間に収容された内容物を含む衛生部；及び、前記衛生部の一側に少なくとも一部が貼り付けられる衛生パッド；を含み、前記衛生部は、前記衛生パッドの一側を包むように構成され、前記内部空間と外部を連通できる開放口が形成されるように構成された蓋部を含み、前記蓋部は、前記衛生パッドが前記衛生部から分離されると共に前記開放口を形成する。
【００１７】
本考案の他の特徴によると、前記蓋部は、前記開放口の大きさより大きく形成され、前記開放口を完全に覆うように前記衛生部に貼り付けられ得る。
【００１８】
本考案のまた他の特徴によると、前記蓋部は、前記衛生パッドの背面に貼り付けられ得る。
【００１９】
前記課題を解決するための本考案のまた他の実施例に係る衛生用品は、内容物を収容する内部空間及び前記内部空間に収容された内容物を含む衛生部；及び、衛生パッドを包み、前記衛生部の一側に配置され、前記衛生部と少なくとも一部が貼り付けられるように構成された表包装紙；を含み、前記衛生部は、前記表包装紙の方向に外力により除去されて前記内部空間と外部を連通できる開放口が形成されるように構成された蓋部を含み、前記蓋部は、前記表包装紙が前記衛生部から分離されると共に前記衛生部から分離される。
【００２０】
本考案のまた他の特徴によると、前記蓋部は、前記衛生部と一体に形成され得る。
【００２１】
本考案のまた他の特徴によると、前記蓋部は、前記開放口の大きさより大きく形成され、前記開放口を完全に覆うように前記衛生部に貼り付けられ得る。
【００２２】
本考案のまた他の特徴によると、前記蓋部は、前記表包装紙に貼り付けられ得る。
【００２３】
本考案のまた他の特徴によると、前記内容物は、清潔剤を含有したペーパーであり、前記開放口を通して引き出し可能に構成され、前記衛生パッドは、ナプキンであってよい。
【考案の効果】
【００２４】
本考案の衛生用品によると、使用者が衛生パッドを取り替えるとき、使用者が衛生パッドを裏包装紙から剥がすと自動的に衛生ペーパーを引き出せる開放口が形成されることで、使用者の便宜性が効果的に改善される。さらに、衛生ペーパーが外部の細菌に感染されることを防止して、使用者がより清潔で衛生的に生理分泌物を処理することができる。
【図面の簡単な説明】
【００２５】
【図１】本考案の第１実施例に係る衛生用品の構成を示した斜視図である。
【００２６】
【図２】図１の衛生用品の構成を示した分解斜視図である。
【００２７】
【図３】図１の衛生用品をＡ−Ａ線に沿って切断して示した側断面図である。
【００２８】
【図４Ａ】使用者が図１の衛生用品を使用する様子を順次に示した斜視図である。
【図４Ｂ】使用者が図１の衛生用品を使用する様子を順次に示した斜視図である。
【図４Ｃ】使用者が図１の衛生用品を使用する様子を順次に示した斜視図である。
【図４Ｄ】使用者が図１の衛生用品を使用する様子を順次に示した斜視図である。
【図４Ｅ】使用者が図１の衛生用品を使用する様子を順次に示した斜視図である。
【００２９】
【図５】本考案の第２実施例に係る衛生用品の構成を示した斜視図である。
【００３０】
【図６】図５の衛生用品の構成を示した分解斜視図である。
【００３１】
【図７】使用者が図５の衛生用品を使用する様子を概略的に示した斜視図である。
【００３２】
【図８】本考案の第３実施例に係る衛生用品の構成を示した斜視図である。
【００３３】
【図９】図８の衛生用品の構成を示した分解斜視図である。
【００３４】
【図１０】使用者が図８の衛生用品を使用する様子を概略的に示した斜視図である。
【００３５】
【図１１】本考案の第４実施例に係る衛生用品の構成を示した斜視図である。
【００３６】
【図１２】図１１の衛生用品の構成を示した分解斜視図である。
【００３７】
【図１３】使用者が図１１の衛生用品を使用する様子を概略的に示した斜視図である。
【００３８】
【図１４】本考案の第５実施例に係る衛生用品の構成を示した斜視図である。
【００３９】
【図１５】図１４の衛生用品の構成を示した分解斜視図である。
【００４０】
【図１６】使用者が図１４の衛生用品を使用する様子を概略的に示した斜視図である。
【考案を実施するための形態】
【００４１】
本考案の利点および特徴、そして、それらを達成する方法は、添付の図面と共に詳細に後述されている実施例を参照すれば、明確になるだろう。しかし、本考案は、以下において開示される実施例に限定されるものではなく、互いに異なる様々な形態で具現され、単に、本実施例は、本考案の開示が完全なものとなるようにし、本考案の属する技術の分野における通常の知識を有する者に考案の範疇を完全に知らせるために提供されるものであり、本考案は、請求項の範疇により定義されるだけである。
【００４２】
素子（ｅｌｅｍｅｎｔｓ）または層が異なる素子または層の「上（ｏｎ）」と称されるものは、他の素子のすぐ上または中間に他の層または他の素子を介在した場合をいずれも含む。
【００４３】
第１、第２等が様々な構成要素を述べるために使用されるが、これらの構成要素は、これらの用語により制限されないことはもちろんである。これらの用語は、単に一つの構成要素を他の構成要素と区別するために使用するものである。従って、以下において言及される第１構成要素は、本考案の技術的思想内で第２構成要素であってもよいことはもちろんである。
【００４４】
明細書全体にわたって、同じ参照符号は、同じ構成要素を指す。
【００４５】
図面で示された各構成の大きさおよび厚さは、説明の便宜のために示されたものであり、本考案は、示された構成の大きさおよび厚さに必ずしも限定されるものではない。
【００４６】
本考案の様々な実施例のそれぞれの特徴は、部分的または全体的に互いに結合または組み合わせ可能であり、当業者が十分に理解できるように技術的に多様な連動および駆動が可能であり、各実施例が互いに対して独立して実施可能であってもよく、関連関係で共に実施可能であってもよい。
【００４７】
以下、添付の図面を参考にして、本考案の第１実施例に係る衛生用品について詳細に説明する。
【００４８】
図１は、本考案の第１実施例に係る衛生用品の構成を示した斜視図であり、図２は、図１の衛生用品の構成を示した分解斜視図であり、図３は、図１の衛生用品をＡ−Ａ線に沿って切断して示した側断面図である。
【００４９】
図１から図３を参照すると、本考案の第１実施例に係る衛生用品１０は、衛生部１００と、表包装紙２１０及び裏包装紙２２０を含む包装紙２００と、衛生パッド３００とを含む。
【００５０】
衛生部１００は、その内部空間に内容物を収容して包装されたパック（ｐａｃｋ）であって、衛生部１００に収容された内容物は、乾燥したペーパー、水を含有したペーパー、または清潔剤を含有したペーパーのような衛生ペーパーであってよい。
【００５１】
衛生部１００は、衛生ペーパーに含有されている水分が蒸発せず、外部の細菌等の因子から汚染されないようにするために不透性の材質で形成されることが好ましい。
【００５２】
衛生ペーパーは、衛生用品１０の体積を増加させて包装性が低下することを防止するために、２枚以下で含まれることが好ましい。ただし、これに限定されるものではなく、製造時に適切に調整され得ることはもちろんである。
【００５３】
衛生部１００には、内部空間と外部を連通できる開放口１１０が形成される。開放口１１０は、衛生部１００の一部である蓋部１２０が取り外されて形成され得る。
【００５４】
即ち、衛生部１００は、衛生用品１０が製造されて使用される前まで、内容物である衛生ペーパーを収容して密閉されたパックの形態で存在する。使用者が本実施例の衛生用品１０を使用する場合、衛生部１００の一部である蓋部１２０が衛生部１００から分離されて開放口１１０が形成され得る。形成された開放口１１０を通して内部空間に収容された衛生ペーパーが外部に引き出され得る。
【００５５】
蓋部１２０は、後述する衛生パッド３００の除去動作と連動して、衛生部１００から分離される。これについては、図４Ｄを参照して後述する。
【００５６】
包装紙２００は、衛生部１００及び衛生パッド３００を包むことができるように構成され、本実施例の衛生用品１０が個別包装された形態をなすようにする。
【００５７】
包装紙２００は、衛生部１００の一側を包む表包装紙２１０と、表包装紙２１０と共に衛生部１００を包む裏包装紙２２０とを含む。表包装紙２１０と裏包装紙２２０は、少なくとも一部が貼り付けられ得、衛生部１００を包む表包装紙２１０及び裏包装紙２２０の少なくとも一つは衛生部１００に貼り付けられて衛生部１００を固定できる。
【００５８】
裏包装紙２２０は、衛生部１００の蓋部１２０と対応する領域の通路部２２１が開放されるように構成され得る。通路部２２１は、蓋部１２０が衛生部１００から分離されて開放口１１０を形成するとき、衛生ペーパーが引き出される通路を提供する。
【００５９】
一方、通路部２２１が省略され、裏包装紙２２０が貫通孔を含むように構成されてもよい。
【００６０】
裏包装紙２２０の通路部２２１は、蓋部と相応する大きさまたは衛生部の蓋部より大きな大きさで形成されることが好ましい。
【００６１】
裏包装紙２２０の衛生部１００側の面と対向する面に、後述する衛生パッド３００が貼り付けられ得る。少なくとも裏包装紙２２０の衛生パッド３００が貼り付けられる面は、接着物質が付いて剥がされやすくビニール材質で形成されることが好ましい。
【００６２】
表包装紙２１０の材質は、衛生用品１０の個別包装のために使用されるものであれば、特に制限されない。表包装紙２１０は、紙、不織布、フィルム等の様々な公知の素材で形成され得る。
【００６３】
一方、表包装紙２１０の一端部には、固定用テープ２１１が貼り付けられ得る。固定用テープ２１１は、本考案の衛生用品１０が個別包装された形態で構成される場合、包装状態を維持するようにするために備えられたものであってよい。
【００６４】
衛生パッド３００は、使用者の皮膚に接触する内皮と、生理分泌物の吸収層と、生理分泌物の漏れを防止するための防水層とを含むナプキンであってよい。ただし、本考案の衛生パッド３００は、ナプキンに限定されるものではない。衛生パッド３００は、個別包装された形態のおりものシート、おむつ、その他の衛生上使用されるパッド製品のように公知の吸収性パッドであってもよい。
【００６５】
衛生パッド３００は、使用者の下着に貼り付けられ得るように、その背面３０１に接着層３１０を含むことができる。衛生パッド３００は、接着層３１０を含むことで、使用者が衛生用品１０を使用する前まで上述した裏包装紙２２０に貼り付けられた状態に維持され得る。
【００６６】
接着層３１０は、ホットメルト接着剤、感圧型接着剤のような接着剤が硬化して形成されたものであっても、両面接着テープが貼り付けられて形成されたものであってもよく、特に制限されない。
【００６７】
図４Ａ〜図４Ｄは、使用者が図１の衛生用品を使用する様子を順次に示した斜視図である。
【００６８】
具体的に、図４Ａは、個別包装された衛生用品の使用前の様子を示し、図４Ｂ及び図４Ｃは、使用者が衛生用品を使用するために衛生用品を広げる様子を示し、図４Ｄは、使用者が衛生パッド３００を裏包装紙２２０から分離する様子を示し、図４Ｅは、使用者が衛生部１００から衛生ペーパーを引き出す様子を示す。
【００６９】
以下の叙述を通して、上述した衛生用品１０の具体的な構成についての説明が補完され得ることはもちろんである。
【００７０】
図４Ａを参照すると、本実施例において、衛生用品１０は、３等分されて折り畳まれるように構成されることを例示する。表包装紙２１０に固定用テープ２１１が貼り付けられて衛生用品の携帯が簡便であり、人体に当たる衛生パッドが内部に完全に密封された状態で包装され、衛生的な状態を維持できる。
【００７１】
図４Ｂ及び図４Ｃを参照すると、固定用テープ２１１が表包装紙から分離され、折り畳まれた衛生用品１０が広げられる。このとき、包装紙２００に包装された衛生パッド３００が外部に露出される。
【００７２】
ただし、図４Ａから図４Ｃは、例示的な図示であるだけで、本考案の衛生用品１０がこのような形態にのみ包装されるものと限定するものではない。
【００７３】
図４Ｄを参照すると、上述したように、衛生パッド３００は、背面３０１の接着層３１０を通して裏包装紙２２０に貼り付けられた状態を維持し、外力によって裏包装紙２２０から分離され得る。
【００７４】
このとき、衛生部１００の蓋部１２０は、衛生パッド３００が裏包装紙２２０から分離されると共に衛生部１００から分離され、蓋部１２０が衛生部１００から分離されて開放口１１０が形成される。
【００７５】
裏包装紙２２０の通路部２２１は、蓋部１２０と衛生パッド３００の背面３０１にそれぞれ貼り付けられて固定される。従って、衛生パッド３００が裏包装紙２２０から分離されると共に、裏包装紙２２０の通路部２２１は裏包装紙２２０の他の部分から分離され、蓋部１２０は衛生部１００から分離されて、衛生ペーパーが引き出され得る開放口１１０が形成される。
【００７６】
一方、裏包装紙２２０の通路部２２１が省略されて貫通孔が形成された場合であれば、蓋部１２０が衛生パッド３００の背面３０１に直接貼り付けられる。衛生パッド３００が裏包装紙２２０から分離されると共に、蓋部１２０が衛生部１００から分離され、衛生ペーパーが引き出され得る開放口１１０が形成される。
【００７７】
使用者が衛生パッド３００を裏包装紙２２０から剥がすと、衛生部１００の蓋部１２０が除去され、自動的に衛生ペーパーを引き出せる開放口１１０が形成されるので、衛生用品１０の使用時の便宜性が効果的に改善され得る。
【００７８】
本考案によると、従来に使用者が衛生ペーパーを使用するために別途の衛生ペーパーの包装紙を除去し、折り畳まれた衛生ペーパーを広げて使用する等の煩雑さを効果的に改善できる。また、衛生ペーパーを使用するために数回手で衛生ペーパーをいじる等の問題点が解決されることで、衛生ペーパーが外部の細菌に感染されることを防止でき、使用者が清潔で衛生的に生理分泌物を処理できるようにすることができる。
【００７９】
以下、添付の図５から図７を参考にして、本考案の第２実施例に係る衛生用品について詳細に説明する。
【００８０】
図５は、本考案の第２実施例に係る衛生用品の構成を示した斜視図であり、図６は、図５の衛生用品の構成を示した分解斜視図であり、図７は、使用者が図５の衛生用品を使用する様子を概略的に示した斜視図である。
【００８１】
図５及び図６を参照すると、本実施例に係る衛生用品１０'は、図１から図４Ｄの実施例に係る衛生用品１０と比較して、衛生部１００'の開放口１１０'及び蓋部１２０'の構成に差がある。残りの構成は、図１から図４Ｄの実施例に係る衛生用品の構成と実質的に同一であるので、重複した説明を省略し、本実施例の開放口１１０'及び蓋部１２０'の構成について述べることとする。
【００８２】
衛生部１００'は、内部空間と外部を連通できる開放口１１０'を含み、開放口１１０'は、蓋部１２０'により密閉される。開放口１１０'は、衛生部１００'の製造時に既形成された孔であってよく、蓋部１２０'は、開放口１１０'を完全に覆うように衛生部１００'に貼り付けられる別途の部材であってよい。
【００８３】
蓋部１２０'は、開放口１１０'の大きさより大きく形成され、衛生部１００'の内部空間が外部から完全に密閉されるように構成されることが好ましい。
【００８４】
貼り付けられた蓋部１２０'が衛生部１００'から分離されて開放口１１０'が形成され、形成された開放口１１０'を通して内部空間に収容された衛生ペーパーが外部に引き出され得る。
【００８５】
図７に示されたように、蓋部１２０'は、衛生パッド３００の除去動作と連動して、衛生部１００'から分離され、開放口１１０'を形成する。
【００８６】
このような構成及び動作については、図４Ｄを説明するにあたって詳述しており、図７の蓋部１２０'は、図１から図４Ｄの実施例に係る蓋部１２０と比較すると、別途の部材で形成されるという点においてのみ差があるので、蓋部１２０'が開放口１１０'を形成する具体的な動作についての重複した説明は省略する。
【００８７】
以下、添付の図８から図１０を参考にして、本考案の第３実施例に係る衛生用品について詳細に説明する。
【００８８】
図８は、本考案の第３実施例に係る衛生用品の構成を示した斜視図であり、図９は、図８の衛生用品の構成を示した分解斜視図であり、図１０は、使用者が図８の衛生用品を使用する様子を概略的に示した斜視図である。
【００８９】
本実施例に係る衛生用品１０''は、衛生部１００''と、表包装紙２１０と、衛生パッド３００とを含む。図８及び図９を参照すると、本実施例に係る衛生用品１０''は、図５から図７の実施例に係る衛生用品１０'と比較して、裏包装紙２２０が省略されて構成されるという点で差がある。残りの構成は、図５から図７の実施例に係る衛生用品の構成と実質的に同一であるので、重複した説明を省略する。
【００９０】
衛生部１００''が長手方向に長く形成され、表包装紙２１０は、衛生部１００''の一側を包んで衛生部１００''に少なくとも一部が貼り付けられ得る。
【００９１】
衛生部１００''の表包装紙２１０側の面と対向する面に衛生パッド３００が直接貼り付けられるように構成される。このとき、衛生部１００''の衛生パッド３００が貼り付けられる面は、接着物質が付いて剥がされやすい材質で形成されることが好ましい。
【００９２】
衛生部１００''は、内部空間と外部を連通できる開放口１１０''を含み、開放口１１０''は、蓋部１２０''により密閉される。これは、上述した開放口１１０'及び蓋部１２０'の構成と同一であるので、重複した説明は省略する。
【００９３】
以下、添付の図１１から図１３を参考にして、本考案の第４実施例に係る衛生用品について詳細に説明する。
【００９４】
図１１は、本考案の第４実施例に係る衛生用品の構成を示した斜視図であり、図１２は、図１１の衛生用品の構成を示した分解斜視図であり、図１３は、使用者が図１１の衛生用品を使用する様子を概略的に示した斜視図である。
【００９５】
本実施例に係る衛生用品１０'''は、衛生部１００'''と衛生パッド３００とを含む。図１１及び図１２を参照すると、本実施例に係る衛生用品１０'''は、図８から図１０の実施例に係る衛生用品１０''と比較して、表包装紙２１０の代わりに衛生部１００''が衛生パッド３００を包むように構成されるという点で差がある。残りの構成は、図８から図１０の実施例に係る衛生用品の構成と実質的に同一であるので、重複した説明を省略する。
【００９６】
本実施例に係る衛生用品１０'''の衛生部１００'''は、内容物を収容する内部空間及び内部空間に収容された内容物を含むと同時に、その一側に少なくとも衛生パッド３００を貼り付け、衛生パッド３００の一側を包むように構成され得る。即ち、衛生部１００'''が衛生ペーパーを含むと同時に、衛生パッド３００の包装紙の役割を果たすことができるように構成され得る。
【００９７】
衛生部１００'''に衛生パッド３００が直接貼り付けられるように構成される。このとき、衛生部１００'''の衛生パッド３００が貼り付けられる面は、接着物質が付いて剥がされやすい材質で形成されることが好ましい。
【００９８】
衛生部１００'''は、内部空間と外部を連通できる開放口１１０'''を含み、開放口１１０'''は、蓋部１２０'''により密閉される。これは、上述した開放口１１０''及び蓋部１２０''の構成と同一であるので、重複した説明は省略する。
【００９９】
一方、衛生部１００'''の一端部には、固定用テープ１３０'''が貼り付けられ得る。固定用テープ１３０'''は、本考案の衛生用品１０'''が個別包装された形態で構成される場合、包装状態を維持するようにするために備えられたものであってよい。衛生部１００'''に固定用テープ１３０'''が貼り付けられて衛生用品の携帯が簡便であり、人体に当たる衛生パッドが内部に完全に密封された状態で包装され、衛生的な状態を維持できる。
【０１００】
図１４は、本考案の第５実施例に係る衛生用品の構成を示した斜視図であり、図１５は、図１４の衛生用品の構成を示した分解斜視図であり、図１６は、使用者が図１４の衛生用品を使用する様子を概略的に示した斜視図である。
【０１０１】
本実施例に係る衛生用品１０''''は、衛生部１００''''と、表包装紙２１０及び裏包装紙２２０を含む包装紙２００と、衛生パッド３００とを含む。
【０１０２】
図１４及び図１５を参照すると、本実施例に係る衛生用品１０''''は、図１から図４Ｄの第１実施例に係る衛生用品１０と比較して、衛生部１００''''が表包装紙の外側の部分に配置され、衛生パッド３００でない表包装紙２１０を衛生部１００''''から除去して蓋部１２０''''が除去されるという点で差がある。即ち、本実施例に係る衛生用品１０''''の衛生部１００''''は、内容物を収容する内部空間及び内部空間に収容された内容物を含むと同時に、その一側に衛生パッド３００を包む表包装紙２１０が貼り付けられ得る。
【０１０３】
残りの構成は、図１から図４Ｄの実施例に係る衛生用品の構成と実質的に同一であるので、重複した説明を省略する。
【０１０４】
衛生部１００''''は、内部空間と外部を連通できる開放口１１０''''を含み、開放口１１０''''は、蓋部１２０''''により密閉される。
【０１０５】
本実施例に係る開放口１１０''''及び蓋部１２０''''は、図１から図４Ｄの開放口１１０及び蓋部１２０のように、衛生部１００''''の一部である蓋部１２０''''が取り外されて開放口１１０''''が形成されるように構成されてもよく、図５から図７の開放口１１０'及び蓋部１２０'のように、開放口１１０''''が衛生部１００''''の製造時に既形成された孔であり、蓋部１２０''''は、開放口１１０''''を完全に覆うように衛生部１００''''に貼り付けられる別途の部材として構成されたものであってもよい。
【０１０６】
図１６を参照すると、使用者が表包装紙２１０から衛生パッド３００を分離して使用した後、表包装紙２１０を衛生部１００''''から除去すると同時に衛生部１００''''に収容された内容物が引き出され得るように開放口１１０''''が形成され得る。
【０１０７】
本実施例に係る衛生用品は、従来に使用者が衛生ペーパーを使用するために別途の衛生ペーパーの包装紙を除去し、折り畳まれた衛生ペーパーを広げて使用する等の煩雑さを効果的に改善できる。
【０１０８】
以上、添付の図面を参照して本考案の実施例を説明したが、本考案の属する技術の分野における通常の知識を有する者は、本考案のその技術的思想や必須な特徴を変更することなく他の具体的な形態で実施され得るということを理解できるだろう。それゆえ、以上において記述した実施例は、全ての面で例示的なものであり、限定的ではないものと理解すべきである。
【図１】
0003223080.tif 000003
【図２】
0003223080.tif 000004
【図３】
0003223080.tif 000005
【図４ａ】
0003223080.tif 000006
【図４ｂ】
0003223080.tif 000007
【図４ｃ】
0003223080.tif 000008
【図４ｄ】
0003223080.tif 000009
【図４ｅ】
0003223080.tif 000010
【図５】
0003223080.tif 000011
【図６】
0003223080.tif 000012
【図７】
0003223080.tif 000013
【図８】
0003223080.tif 000014
【図９】
0003223080.tif 000015
【図１０】
0003223080.tif 000016
【図１１】
0003223080.tif 000017
【図１２】
0003223080.tif 000018
【図１３】
0003223080.tif 000019
【図１４】
0003223080.tif 000020
【図１５】
0003223080.tif 000021
【図１６】
0003223080.tif 000022